【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
表示素子の下部に配置された導光板、
この導光板の少なくとも一側面に近接して配置された光源、
前記導光板の上面側に配置されたシート、
前記導光板、及び前記シートを収納するフレーム、
前記光源が近接して配置された側を除く前記シートの周辺端部において、前記シートと前記フレームを固定する遮光性テープを備えたことを特徴とする表示装置。
【請求項２】
請求項１記載の表示装置であって、前記遮光性テープは、前記光源が近接して配置された側を除く前記シートの周辺端部において、全域に渡って貼り付けられていることを特徴とする表示装置。
【請求項３】
請求項１または２記載の表示装置であって、前記シートは表面に凹凸を有する拡散シートであり、前記遮光性テープは前記拡散シートに貼り付けられたことを特徴とする表示装置。
【請求項４】
請求項３記載の表示装置であって、前記遮光性テープは印刷塗料を介することなく前記拡散シートに貼り付けられたことを特徴とする表示装置。
【請求項５】
請求項１から４のいずれか一項記載の表示装置であって、前記遮光性テープは前記導光板の端部と前記光源との間を覆うように設けられたことを特徴とする表示装置。
【請求項６】
請求項１から５のいずれか一項記載の表示装置であって、前記遮光性テープは前記導光板の端部よりも前記光源側に突出して設けられたことを特徴とする表示装置。
【請求項７】
請求項６記載の表示装置であって、前記シートは前記導光板の端部よりも前記光源側に突出し、前記遮光性テープは前記シートの前記突出する部分に貼り付けられたことを特徴とする表示装置。
【手続補正２】
【補正対象書類名】明細書
【補正対象項目名】全文
【補正方法】変更
【補正の内容】
【発明の詳細な説明】
【発明の名称】表示装置
【技術分野】
【０００１】
本発明は、表示素子の表示領域の周辺端部に発生する輝線を防止すると共に、拡散シート等のシートのずれを防止し、フレームに確実に固定することが可能なバックライトユニットを備えた表示装置に関する。
【背景技術】
【０００２】
図５は、従来の液晶表示装置において、液晶表示素子の背面照明として用いられているバックライトユニットの構造を示す分解斜視図、図６は組立後の状態を示す斜視図、図７は図６中Ｃ−Ｃで示す部分の断面図、図８は図６中Ｄ−Ｄで示す部分の断面図である。図において、１は液晶表示素子（図示せず）の下部に配置されるアクリル樹脂等からなる薄板状の導光板、２は導光板１の上面側に配置され、光源からの光線を表示面側に均一に拡散させる拡散シートで、拡散シート２の周辺端部には黒枠印刷部２ａが設けられている。３は拡散シート２と導光板１の間に配置されたシート類で、例えば複数のレンズシートまたは、複数のレンズート及び複数の拡散シート等より構成されている。４は導光板１の下面側に配置された反射シート、５は導光板１の少なくとも一側面に近接して配置された光源であるランプユニット、６は導光板１、拡散シート２及びシート類３、反射シート４等を収納するポリカーボネート等からなる樹脂フレームである。ランプユニット５は、図８に示すように、冷陰極管ランプ８をランプリフレクタ９及びランプカバー１０で囲み、保護した構成となっている。さらに、７は拡散シート２及びシート類３のずれを防止するために拡散シート２の黒枠印刷部２ａの裏面と樹脂フレーム６を固定する両面テープである。
従来のバックライトユニットでは、発光面である拡散シート２の周辺端部、すなわち液晶表示素子の表示領域の周辺端部で急激に輝度が高くなる輝度ムラ（以後、これを輝線と称す）を防止するために、拡散シート２の周辺端部に黒枠印刷が行われており、拡散シート２及びシート類３のずれを防止するための両面テープ７は、拡散シート２の黒枠印刷部２ａ範囲内の裏面に配置されていた。また、両面テープ７は、用途に応じて樹脂フレーム６の長辺側または短辺側に配置されていた。
【発明の開示】
【発明が解決しようとする課題】
【０００３】
上記のように、従来の液晶表示装置では、輝線防止対策として拡散シート２への黒枠印刷を、拡散シート２及びシート類３のずれ防止対策として両面テープ７の貼り付けを行っていた。しかしながら、拡散シート２表面には、光線を拡散させるための凹凸の加工が施されており、拡散シート２の表面加工の形状及び材質の変化に伴ない、拡散シート２への黒枠印刷が困難な場合が生じている。その結果、拡散シート２への黒枠印刷の塗料の密着性が悪くなり、この印刷塗料の剥離が液晶表示装置に悪影響を及ぼすという問題が生じている。
また、近年の液晶表示装置の有効表示面積の大画面化及びその周縁部の狭額縁化に伴い、両面テープ７の貼り付け位置を拡散シート２の黒枠印刷部２ａ裏面の範囲内に十分に確保することが困難となってきている。
さらに、従来の液晶表示装置の製造工程では、拡散シート２への黒枠印刷の工程及び両面テープ７貼り付けの工程が必要であったため、製造工程が煩雑でコストが高くなるという問題があった。
【０００４】
本発明は、上記のような問題点を解消するためになされたもので、表示素子の表示領域の周辺端部に発生する輝線を防止すると共に、シートのずれを防止することができ、且つ低コストで製造可能な表示装置を得ることを目的とする。
【課題を解決するための手段】
【０００５】
本発明に係わる表示装置は、表示素子の下部に配置された導光板、この導光板の少なくとも一側面に近接して配置された光源、前記導光板の上面側に配置されたシート、前記導光板、及び前記シートを収納するフレーム、前記光源が近接して配置された側を除く前記シートの周辺端部において、前記シートと前記フレームを固定する遮光性テープを備えたことを特徴とする。
【発明の効果】
【０００６】
本発明によれば、光源が近接して配置された側を除くシートの周辺端部において、シートとフレームを固定する遮光性テープを備えるので、シートとフレームを確実に固定でき、シートのずれを防止することができると共に、表示素子の表示領域の周辺端部に発生する輝線を防止することが可能である。さらに、従来行われていたシートへの黒枠印刷の工程及び両面テープ貼り付け工程の２工程を省略することができ、遮光性テープ貼り付け工程のみを行えばよいため、製造工程の簡略化による低コスト化が図られる効果がある。
【発明を実施するための最良の形態】
【０００７】
実施の形態１．
以下に、本発明の実施の形態を図面に基づいて説明する。図１は、本発明の実施の形態１である液晶表示装置において、液晶表示素子の背面照明として用いられるバックライトユニットの構造を示す分解斜視図、図２は組立後の状態を示す斜視図、図３は図２中Ａ−Ａで示す部分の断面図、図４は図２中Ｂ−Ｂで示す部分の断面図である。図において、１は液晶表示素子（図示せず）の下部に配置されるアクリル樹脂等からなる薄板状の導光板、２は導光板１の上面側に配置され、光源からの光線を表示面側に均一に拡散させる拡散シート、３は拡散シート２と導光板１の間に配置された複数のシートを含むシート類で、例えば複数のレンズシートまたは、複数のレンズシート及び複数の拡散シート等より構成されている。４は導光板１の下面側に配置された反射シート、５は導光板１の少なくとも一側面に近接して配置された光源であるランプユニット、６は導光板１、拡散シート２及びシート類３、反射シート４等を収納するポリカーボネート等からなる樹脂フレームである。ランプユニット５は、図４に示すように、冷陰極管ランプ８をランプリフレクタ９及びランプカバー１０で囲み、保護した構成となっている。さらに、１１は拡散シート２及びシート類３の最上部に配置されたシート、すなわち本実施の形態では拡散シート２の周辺端部及び樹脂フレーム６の上面に貼り付られた例えばポリエステル（ＰＥＴ）からなる遮光性テープで、拡散シート２と樹脂フレーム６を固定している。
【０００８】
本実施の形態で用いた遮光性テープ１１は、図３に示すように、拡散シート２の周辺端部及び樹脂フレーム６の上面を覆うように貼り付けられ、拡散シート２と樹脂フレーム６を固定するものであり、発光面である拡散シート２周辺端部、すなわち液晶表示素子の表示領域の周辺端部に発生する輝線を防止すると共に、拡散シート２及びシート類３のずれを防止する２つの機能を有するものである。この遮光性テープ１１は、ランプユニット５側では、図４に示すように、拡散シート２の端部にのみ貼り付けられている。なお、拡散シート２、シート類３の寸法及び形状等は、用途に応じて適宜設定することができ、樹脂フレーム６との固定位置も適宜設定することができる。
【０００９】
なお、遮光性テープ１１は、図４に示すように、導光板１の端部と光源５の冷陰極管ランプ８との間を覆うように設けられる。具体的には、拡散シート２は導光板１に端部よりも冷陰極管ランプ８側に突出し、遮光性テープ１１は、拡散シート２のその突出する部分に貼り付けられる。
【００１０】
本実施の形態によれば、輝線の発生しやすい液晶表示素子の表示領域の周辺端部に遮光性テープ１１が設けられているため、従来のように拡散シート２周辺端部に黒枠印刷部２ａ（図５参照）を設ける必要がなく、輝線の発生を防止することが可能である。これにより、従来問題となっていた黒枠印刷の塗料の剥離による液晶表示装置への悪影響を防止することができる。また、この遮光性テープ１１によって、拡散シート２と樹脂フレーム６の固定も行うことができるため、従来用いていた両面テープ７（図５参照）も不要となる。従来の両面テープ７は、液晶表示装置の有効表示面積の大画面化及びその周縁部の狭額縁化に伴い、貼り付け位置を確保することが困難であったが、本実施の形態における遮光性テープ１１は、拡散シート２の上面側より貼り付けるため、貼り付け位置の確保が比較的容易であり、確実に固定することができる。
さらに、従来の液晶表示装置の製造工程では、拡散シート２への黒枠印刷の工程及び両面テープ７貼り付けの工程が必要であったが、本実施の形態における液晶表示装置の製造工程では、遮光性テープ１１の貼り付け工程のみを行えばよく、上記の２工程を省略することができるため、製造工程の簡略化による低コスト化が図られる。
【図面の簡単な説明】
【００１１】
【図１】本発明の実施の形態１である液晶表示装置に用いられるバックライトユニットの構造を示す分解斜視図である。
【図２】本発明の実施の形態１である液晶表示装置に用いられるバックライトユニットの組立後の状態を示す斜視図である。
【図３】本発明の実施の形態１である液晶表示装置に用いられるバックライトユニットの構造を示す部分断面図である。
【図４】本発明の実施の形態１である液晶表示装置に用いられるバックライトユニットの構造を示す部分断面図である。
【図５】従来の液晶表示装置に用いられるバックライトユニットの構造を示す分解斜視図である。
【図６】従来の液晶表示装置に用いられるバックライトユニットの組立後の状態を示す斜視図である。
【図７】従来の液晶表示装置に用いられるバックライトユニットの構造を示す部分断面図である。
【図８】従来の液晶表示装置に用いられるバックライトユニットの構造を示す部分断面図である。
【符号の説明】
【００１２】
１ 導光板、２ 拡散シート、２ａ 黒枠印刷部、３ シート類、
４ 反射シート、５ ランプユニット、６ 樹脂フレーム、７ 両面テープ、
８ 冷陰極管ランプ、９ ランプリフレクタ、１０ ランプカバー、
１１ 遮光性テープ。